(57)【要約】【課題】座が回動可能で脚が前後方向に傾動し、離席時には自動的に遊技台側へ格納される遊技場用の椅子を提供する。【解決手段】この椅子は、回動軸１２を備えた背もたれ２と一体の座１と、回動軸１２を支持する縦筒軸受１３を備えた座支持体４と、座支持体４に上端を連結するとともに基台５に下端を連結した前後方向に傾動可能な脚３と、格納手段１０とから構成されている。脚３は、固定長さの前脚３Ａと圧縮バネ２３が内装されて伸縮可能な後脚３Ｂとからなり、格納手段１０は、引張りバネ６を使用した傾動復帰手段と、回動軸１２に固設した回転カム１２ａと前脚３Ａに固設した回動軸１２を回転させるストロークカム１４とから構成されている。【選択図】  図１
2011200475.tif 000002
【特許請求の範囲】
【請求項１】
底中央部に回動軸を備えた背もたれと一体の座と、該回動軸を回動可能に支持する縦筒軸受を備えた座支持体と、床に取付ける基台と、該座支持体に上端を連結するとともに該基台に下端を連結した前後方向に傾動可能な脚と、離席したときに、自動的に脚が前傾するとともに座が遊技台側に向くように回動して格納される格納手段を備えた遊技場用の椅子であって、該脚は、固定長さの前脚と圧縮バネが内装されて伸縮可能な後脚とからなり、該格納手段は、引張りバネまたは捩りコイルバネを使用した傾動復帰手段と、該回動軸に係合して設けた回動復帰手段とからなることを特徴とする遊技場用の椅子。
【請求項２】
前記脚は、格納姿勢から最後傾させたときの位置の後傾行程の途中に、前脚が後脚に係止する準停止位置を備えたことを特徴とする請求項１記載の遊技場用の椅子。
【請求項３】
前記回動復帰手段は、捩りコイルバネを前記回動軸に装着したことを特徴とする請求項１記載の遊技場用の椅子。
【請求項４】
前記回動復帰手段は、前記回動軸の下端に回転カムを設けるとともに、前脚に前傾と連動して該回転カムに係合し、座が遊技台に向くように回動軸を回動させるカム面を有するストロークカムを設けたことを特徴とする請求項１記載の遊技場用の椅子。
【請求項５】
前記傾動復帰手段は、引張りバネの一端を基台に連結するとともに他端を後脚に連結したものとし、前脚または後脚の下端の基台との連結部にカムとコイルバネとからなる傾動速度を抑制するための緩衝手段を設け、静かに傾動復帰するようにしたことを特徴とする請求項１〜４記載の遊技場用の椅子。
【請求項６】
格納姿勢から脚を所定の位置まで後傾させた状態で、フットレバーの操作により進出させて後脚の前傾をロックするロックピンを備えた前傾ロック装置を前記基台に設けたことを特徴とする請求項１〜５記載の遊技場用の椅子。
【請求項７】
前記回動軸を座の底面に脱着可能に取付けるブラケットに固設し、前記基台は床に取付台を介して設置するものとし、前記脚に前記座支持体と基台を組み付けるとともにブラケットを座支持体に組み付けて脚ユニットとしたことを特徴とする請求項１〜６記載の遊技場用の椅子。
【発明の詳細な説明】
【技術分野】
【０００１】
本発明は、使用してないときは、背もたれと一体の座を遊技台側に向けて前傾した姿勢に自動的に格納できるようにした遊技場用の椅子に関するものである。
【背景技術】
【０００２】
遊技場においては、横に並んだ多数の遊技台に向かって椅子が並べられ、背中合わせに着座してその間を通路としているため、一般に通路が狭い。そこで、不使用時は、座を自動的に前方へ移動させて格納するようにしたものが開発されている。（例えば、特許文献１参照）。
この遊技場用の椅子は、脚の上端に座を自動的に前方へ移動可能にバネで付勢させて取付けたものであるが、着座するときに遊技台との間の狭い空間に入らなければならず、離席するときも出ずらいといった難点があった。
【０００３】
そこで、発明者等は、着座および離席のときに遊技台の真ん前まで行かずに横側から行え、しかも、離席すると自動的に遊技台側へ格納される遊技場用の椅子を先に開発した（特許文献２参照）。
特許文献２の椅子は、回動軸を備えた背もたれと一体の座と、回動軸を支持する縦筒軸受を備えた座支持体と、基台に前脚と後脚の下端を連結するとともに、それぞれの上端を座支持体に連結して前後方向へ傾動可能とした脚とを備えている。そして、脚を前傾側へ付勢するバネと、回動軸の下端に回転カムを設けて、脚の前傾と連動してストロークカムに係合させて座を回動させるようにした復帰手段を備えている。
この椅子は、遊技者が格納状態の椅子を手前に引いて９０度ほど回転させて横から着座すればよく、また、離席のときは、背もたれにもたれたまま、９０度程度回転して横から離れればよく、スムーズに着座、離席ができる。しかも、離席したときは何らの操作を必要とせずに自動的に格納状態へ復帰される。
【先行技術文献】
【特許文献】
【０００４】
【特許文献１】実開平６−１３５９５号公報
【特許文献２】特願２００９-２３６０８４号公報
【発明の開示】
【発明が解決しようとする課題】
【０００５】
特許文献２の遊技場用の椅子は、通路の狭い遊技場においては、かなり有効であり注目されている。しかしながら、この椅子は、脚の傾動復帰時に大きな音がするといった点が指摘され改良が望まれていた。また、背もたれと座が一体で、背もたれにもたれたときに弾力性がないので、長時間すわっていると疲れる、とか、女性が使用するには適したものといえないなどの指摘がある。また、遊技台を調整したり交換するような場合に椅子が格納姿勢にあると作業がやりづらいとか、遊技場へ椅子を設置するのに時間がかかるといった問題もある。
【０００６】
そこで、本発明は、座が回動可能で脚が前後方向に傾動し、離席時には自動的に遊技台側へ格納される遊技場用の椅子を上記の欠点をなくし、さらに扱いやすいものに改良したものを提供することを目的としている。
【課題を解決するための手段】
【０００７】
上記の目的を解決するため、本発明の遊技場用の椅子は、次のように構成した。すなわち、底中央部に回動軸を備えた背もたれと一体の座と、該回動軸を回動可能に支持する縦筒軸受を備えた座支持体と、床に取付ける基台と、該座支持体に上端を連結するとともに該基台に下端を連結した前後方向に傾動可能な脚と、離席したときに、自動的に脚が前傾するとともに座が遊技台側に向くように回動して格納される格納手段を備えた遊技場用の椅子であって、該脚は、固定長さの前脚と圧縮バネが内装されて伸縮可能な後脚とからなり、該格納手段は、引張りバネまたは捩りコイルバネを使用した傾動復帰手段と、該回動軸に係合して設けた回動復帰手段とからなることを特徴としている。
【０００８】
ここで、前脚、前方、前傾という用語は、遊技台へ向かう方を前として使用している。  座は、その底中央部に設けた回動軸を座支持体に設けた縦筒軸受に嵌合されて回動可能に構成する。座の回動の範囲は、左右にそれぞれ９０度程度とするのがよい。それ以上にすると、回動復帰手段が複雑になるからである。
【０００９】
脚は、固定長さの前脚と圧縮バネが内装されて伸縮可能な後脚とからなり、それぞれの上端は座支持体に、下端は基台に前後方向に傾動可能にそれぞれピンで連結する。
後脚は、着座したときおよび背もたれにもたれたときに圧縮バネにより縮小する。
前傾した格納位置と着座して背もたれにもたれて最大に後傾させた位置では、それ以上傾くことを阻止するためのストッパを設ける。このストッパは、適宜設ければよく、特に限定しないが、前脚または後脚の上端部または下端部を所定の角度で座支持体または基台に係止するようにするのが簡便である。なお、脚が傾動する範囲（角度）は適宜なものとすればよい。さらに、前脚および後脚の形状は、筒状や断面コ字状にするなど任意であり、特に限定はしない。
【００１０】
脚は、請求項２に記載のように、格納姿勢から最後傾させたときの位置の後傾行程の途中に、同じ力で後傾した場合に停止する位置（準停止位置）を設けるとよい。さらに、後傾させる場合は、より背もたれに体重をかけてもたれればよい。準停止位置は、脚が所定の位置まで後傾すると前脚が後脚に係止する手段を設ける。
【００１１】
格納手段の傾動復帰手段は、引張りバネの一端を基台に連結するとともに他端を後脚に連結した構成とするのが一般的であるが、前脚または後脚の下端の基台との連結部に前傾するように捩りコイルバネを配置してもよい。
【００１２】
引張りバネの場合は傾動復帰を速やかにするため付勢力の大きくなものを用いると、傾動復帰時にストッパに強く当接して大きな音がする。これを防止するには、請求項５に記載のように、前脚または後脚の下端の基台との連結部にカムとコイルバネとからなる傾動速度を抑制するための緩衝手段を設けるとよい。
【００１３】
また、遊技台を調整したり交換する場合など、店側の人が遊技台の前で作業することが少なくないが、この場合、椅子が格納姿勢にあると邪魔になるので、請求項６に記載のように、格納姿勢から脚を所定の位置まで後傾させると、フットレバーの操作によりロックピンが後脚に係止して前傾するのをロックする前傾ロック装置を基台に設けるとよい。
【００１４】
回動復帰手段は、回動軸に捩りコイルバネを装着する（請求項３）のが簡便であるが、請求項４に記載のように、回動軸の下端に回転カムを設けるとともに、前脚に前傾と連動して該回転カムに係合し、座が遊技台に向くように回動軸を回転させるカム面を有するストロークカムを設けるとよい。なお、回転カムとストロークカムの形状および係合させる手段は、とくに限定しない。また、請求項４の回動復帰手段に請求項３の捩りコイルバネを補助的に付加して用いてもよい。
【００１５】
この遊技場用の椅子は、請求項７に記載のように、回動軸を座の底面に脱着可能に取付けるブラケットに固設し、基台は床に取付台を介して設置するものとし、脚に前記座支持体と基台を組み付けるとともにブラケットを座支持体に組み付けて脚ユニットとするのが望ましい。
【発明の効果】
【００１６】
本発明の遊技場用の椅子は、座の底中央部に回動軸を座支持体に設けた縦筒軸受に嵌合し、該座支持体に上端を連結するとともに基台に下端を連結した前脚と後脚からなる回動可能な脚を備え、離席時には、自動的に脚が前傾するとともに座が遊技台側に向く格納手段を備えたので、遊技をする人は格納状態の椅子を手前に引いて９０度ほど回転させて横から着座すればよく、また、離席のときは、背もたれにもたれたまま、９０度程度回転して横から離れればよく、スムーズに着座、離席ができ、離席時に何らの操作をも必要としない。また、脚は、固定長さの前脚と圧縮バネが内装されて伸縮可能な後脚とからなるので、背もたれにもたれたときに適度な反力が付勢され、長時間座っていても疲れ難いものとなった。
【００１７】
また、請求項２に示すように、脚は、格納姿勢から最後傾させたときの位置の後傾行程の途中に、前脚が後脚に係止する準停止位置を備えれば、背もたれにもたれないで前側に着座して遊技する人（女性に多いようです）にとって、座りやすいものとなる。
【００１８】
また、請求項５に記載のように、傾動復帰手段は、引張りバネを用い、前脚または後脚の下端の基台との連結部にカムとコイルバネとからなる傾動速度を抑制するための緩衝手段を設ければ、引張りバネを強くしても静かに格納させることができる。
【００１９】
また、請求項６に記載のように、格納姿勢から脚を所定の位置まで後傾させると、フットレバーの操作によりロックピンが後脚に係止して前傾をロックする前傾ロック装置を基台に設ければ、遊技台を調整したり交換する場合に簡便に椅子を格納姿勢から後傾させた位置にロックできるので、椅子が邪魔にならず作業がし易い。
【００２０】
また、請求項４に記載のように、回動復帰手段は、回動軸の下端に回転カムを設けるとともに、前脚に前傾と連動して係合するストロークカムを設けたものとすれば、離着席するときに椅子を軽い操作力で回動することができる。
【００２１】
さらに、請求項７に記載のように、椅子全体を座と脚ユニットと取付台の３つに分割してボルトで連結できるようにすれば、保管や輸送の状態をコンパクトにでき、また、遊技場へ搬入を短時間に行うことができる。
【図面の簡単な説明】
【００２２】
【図１】本発明の遊技場用の椅子の実施の形態を示す側面図である。
【図２】同、座より下の部分全体を示す斜視図である。
【図３】同、座の下の部分の拡大図である。
【図４】同、回動軸およびストロークカムの詳細を示す斜視図である。
【図５】同、後脚の全体を示す斜視図である。
【図６】同、脚の復帰時のための緩衝装置を示す斜視図である。
【図７】同、基台に取付けた前傾ロック装置を示す斜視図である。
【図８】同、前傾ロック装置の分解斜視図である。
【図９】同、前傾ロック装置の作動状態を示す説明図である。
【図１０】同、着座して背もたれにもたれたときの姿勢を示す側面図である。
【図１１】同、最大に後傾したときの状態を示す側面図である。
【図１２】同、着座して準停止位置へ後傾したときの状態を示す側面図である。
【図１３】同、輸送時のため椅子を分割した状態を示す斜視図で、（ａ）は背もたれと一体の座、（ｂ）は脚ユニット、（ｃ）は取付台である。
【発明を実施するための形態】
【００２３】
本発明の遊技場用の椅子の実施の形態を図面に基づいて説明する。
図１は、本発明の椅子が格納されているときの姿勢を示す側面図である。
この椅子は、背もたれ２と一体の座１が座支持体４に回動可能に取付けられ、座支持体４は、床に固設された基台５に前後方向へ傾動可能とした脚３に取付けられている。
そして、遊技者が離席したときは、座１が前方（遊技台の方向）を向くとともに脚３が所定の位置に前傾した姿勢となる格納手段が設けられている。
【００２４】
まず、座１は、背もたれ２と一体に形成され、座受け１ａの裏面には、中央部に回動軸１２が固設されたブラケット１１がボルトで取付け可能となっている。そして、この回動軸１２は座支持体４に固設された縦筒軸受１３に回動自由に嵌装されている（図２〜図４参照）。なお、座１の回動できる範囲は、ここでは左右とも９０度に制限しており、９０度回動すると座支持体４に当接するストッパが座１に設けられている（図示してない）。  
【００２５】
回動軸１２には、捩りコイルバネ１５による座の回動復帰手段が設けられている。
これは、これに回動軸１２に捩りコイルバネ１５を外嵌して、その両端部をブラケット１１の裏面前部と後部に固設した係止ピン１６ｂと、座支持体４の上部に固設した係止ピン１６ａに係止させている。なお、この捩りコイルバネ１５は、座１が常に、前側へ回動するように付勢させて配設されている。
【００２６】
また、この実施例では、座１の回動復帰手段として、上記の捩りコイルバネ１５のほかに、回転カム１２ａとストロークカム１４を用いたものが付設されている。
この装置は、図４に示すように、回動軸１２の下端に回転カム１２ａが固設され、脚３の前傾に伴ってこれに係合するストロークカム１４が縦筒軸受１３の下部あたりの前脚３Ａに固設されている。
回転カム１２ａは断面が略楕円形の棒状のものであり、ストロークカム１４のカム面１４ａは、概Ｖ字状の溝で、奥部１４ｂは一定の幅である程度の長さ有している。
【００２７】
回転カム１２ａは、脚３が前傾するにつれ、ストロークカム１４のカム面１４ａに係合して座１が前方へ向くように回動する。そして、回転カム１２ａが奥部１４ｂに係合すると座１が前方を向いたまま前傾し格納姿勢となる。そして、格納姿勢では、座１を回動させようとしてもできない。
また、着座するために格納姿勢から背もたれ２に手をかけて後方へ引いたとき、あるところ（回転カム１２ａが奥部１４ｂに係合している間）までは、座１が回動せずにまっすぐに後傾する。
【００２８】
脚３は、固定長さの前脚３Ａと圧縮バネが内装されて伸縮可能な後脚３Ｂとからなり、それぞれ、断面がコ字状で互いに向かい合うように組み合わせている。そして、それぞれの上端は座支持体４に連結ピン７ａ、７ｂで連結され、下端は基台５に連結ピン７ｃ、７ｄで連結され、前後方向に傾動可能となっている。
前脚３Ａの上端部には所定の角度前傾したときに、座支持体４に当接する係止部３Ｄ（図８参照）が形成され、また、下端部には所定の角度後傾したときに、基台５に係止する係止部３Ｃが形成されている。
【００２９】
後脚３Ｂは、図１、図２および図５に示すように、断面コ字状の外枠２０のほぼ中央部にガイド部材２１が固設され、これに圧縮バネ２３が外嵌された支持棒２２が嵌装されている。圧縮バネ２３は、その上端は係止材２２ｂに係止し、下端部はガイド部材２１の上端に係止している。そして、支持棒２２の下端側には係止材２２ｃが固設されており、脚３が前傾した格納時はガイド部材２１の下端部に係止している。
また、支持棒２２の上端には連結ピン７ｂが連結されるブラケット２２ａが固設されている。そして、支持棒２２の下方には後脚３Ｂが最小長さのときに支持棒２２の下端が当接する係止材２４が外枠２０に固設されている。
【００３０】
離席したときに脚３を前傾した格納位置へ復帰させる傾動復帰手段は、引張りバネ６によっており、下端は前脚３Ａの下端の連結ピン７ｃに係止され、上端は後脚３Ｂの中程の位置に係止させている。これにより、脚３は常時前方へ付勢されている。
【００３１】
後脚３Ｂの下端に取付けられる連結ピン７ｄには、格納時に作動する緩衝手段３０が設けられている。これは、図５および図６に示すように、外枠２０の係止材２４に固設した回動カム３３に、コイルバネ３５で付勢させた摺動カム３２を係合させたものである。
回動カム３３は係止材２４の下端に固設された取付部材３４に固設されており、摺動カム３２は、一体に形成された摺動片３２ａが、基台５に固設された凹状の受台３１に摺動可能に係合して設けられている。
回動カム３３と摺動カム３２のカム面は、回動カム３３が反時計回りに回動するにつれて摺動カム３２を押し込むように形成されている。摺動カム３２が押込まれるとこれと一体の摺動片３２ａが受台３１内を案内されて移動するとともに、コイルバネ３５が漸次圧縮する。
【００３２】
また、図７に示すように、後脚３Ｂに係止して傾動復帰をロックするための前傾ロック装置４０が、基台５の側面の連結ピン７ｃと連結ピン７ｄのほぼ中程に設けられている。この装置は、図８に示すように、基台５に固設されたブラケット４５にロックピン４６が椅子の左右方向に移動可能に設けられ、ブラケット４５にはピン４２で上下動可能なフットレバー４１が連結されている。そして、ロックピン４６の一端はフットレバー４１にピン４３で連結され、また、ロックピン４６には、バネ４４が外装され、その一端はロックピン４６に、他端はブラケット４５に係止されている。
【００３３】
ロックピン４６と後脚３Ｂとの関係は、椅子が格納姿勢の状態においては、図９（ａ）に示すように、ロックピン４６は後脚３Ｂによって進路を塞がれ、フットレバー４１を踏み込むことができない。
格納姿勢から椅子の背もたれ２に手をかけて後方へ移動させると、図９（ｂ）に示すように、後脚３Ｂの下端に空間ができる。そして、フットレバー４１を踏むことにより、ロックピン４６を該空間部へ進出させることができる。この状態で背もたれ２から手を離せば、引張りバネ６によって、脚３が前傾するが、図９（ｃ）に示すように、後脚３Ｂの下端がロックピン４６に当接して停止する。なお、ロックピン４６の先端部は径が大きくなった頭部４６ａが形成されており、ロックピン４６がバネ４４によって縮納しようとするが、この頭部４６ａが後脚３Ｂの下端に係止するので、進出した状態のままとなり、ロックの状態が保持される。
【００３４】
このロックの状態を解く場合は、背もたれ２に手をかけて、さらに後傾させるだけでよい。背もたれ２をさらに後傾させると、図９（ｄ）に示すように、後脚３Ｂの下端が上がり、ロックピン４６の頭部４６ａより上に位置するようになって、後脚３Ｂとの係止が解かれ、ロックピン４６がフリーの状態になるので、バネ４４によって、ロックピン４６が戻されるとともにフットレバー４１が踏み込まれない状態へ復帰する。これにより、脚３は引張りバネ６によって自動的に前傾し、格納姿勢となる。
【００３５】
次に、準停止位置の構成について説明する。
前脚３Ａと後脚３Ｂは、上記のように、座支持体４と基台５を介して連結されているが、この外に、後脚３Ｂは、レバー１７によって前脚３Ａに連結されている。すなわち、レバー１７の一端のピン１７ａは、前脚３Ａに固設された係止材１８の案内溝１８ａに係止されている。
脚３が前傾した格納位置の状態では、ピン１７ａは案内溝１８ａの最右端に位置しており、脚３を後傾させるに伴って案内溝１８ａの左端側へ移動する。ピン１７ａが最左端に位置すると、さらに後傾させるには背もたれ２かなりもたれることが必要となる。
この準停止位置では、座１は略平らな状態であり、背もたれ２にもたれずに着座して遊技をする人にとって適宜なものとなっている。
【００３６】
上記のように構成された遊技場用の椅子の作用について次に説明する。
遊技者が椅子に着座していないときは、座１が遊技台に向いて脚３が前傾した格納姿勢に保持されている（図１の状態）。
椅子に着座する場合は、まず、背もたれ２に手を掛けて後方（遊技台から離れる方向）へ引く。これにより脚３が連結ピン７ｃ，７ｄを支点として後傾し、座１が後方へ移動するとともに座面が平らになっていく。これにともなって、回動軸１２下端の回転カム１２ａがストロークカム１４のカム面１４ａの奥部１４ｂから案内されて離れていく。また、レバー１７のピン１７ａが案内溝１８ａを移動する。
ピン１７ａが案内溝１８ａの左端に当接するまでは、引張りバネ６の付勢力のみであるので比較的軽く後傾させることができる。
【００３７】
回転カム１２ａがストロークカム１４の奥部１４ｂを移動している間は、座１を回動させることができないが、それを過ぎると回動が漸次可能となる。
ある程度後傾させたら、座１を９０度回動させ、横側から横向きになって着座し、そのまま、座１を遊技台の方へ向けて回動させる。
回動後、背もたれ２にもたれずに後傾させたときは、ピン１７ａが案内溝１８ａの左端に当接すると、準停止位置となりそれ以上は後傾しない。図１２は、このときの状態を示すもので、座１はほぼ平らになる。この状態は、背もたれ２にもたれて着座しない人（女性に多い）に適している。なお、後脚３Ｂは、この場合においても、当然ながら、圧縮バネ２３により伸縮し弾力性もある。
【００３８】
一方、背もたれ２にもたれて後傾させたときは、準停止位置までは、さほど、もたれなくても傾動するが、さらに、後傾させる場合は、背もたれ２に体重をかける必要がある。準停止位置から、さらに、後傾させると、前脚３Ａの下端の係止部３Ｃが基台５に当接し、図１０に示す状態となる。通常の遊技者は、ほぼ、この状態で遊技することとなる。なお、前脚３Ａは、これ以上は後傾できない。
図１０の着座状態から、さらに、背もたれ２にもたれると、後脚３Ｂの圧縮バネ２３がさらに圧縮し、支持棒２２が下方へ移動する。なお、下端が係止材２４に当接する（図１１の状態）と、それ以上は、後傾させることができない。
【００３９】
離席する場合は、脚３を後傾させた状態のまま、左右いずれかへ９０度回転させて、座１から降りるだけでよい。
遊技者が椅子から離れると、脚３は引張りバネ６によって前傾移動し、回転カム１２ａがストロークカム１４のカム面１４ａに係合して、座１が前方へ向くように回動する。さらに、このとき、捩りコイルバネ１５が、座１が前方へ向くように付勢する。なお、捩りコイルバネ１５は、ここでは、補助的に使用している。
そして、脚３が格納位置になったときは、回転カム１２ａはストロークカム１４のカム面１４ａの最前端に位置し、座１が前方を向いた位置に固定される。したがって、格納位置では、座１が回動することもなく、また、回動させることもできない。  
【００４０】
脚３が前傾移動して格納位置に近づくと、緩衝手段３０が作用する。すなわち、後脚３Ｂの前傾移動に伴って、回動カム３３が回転して摺動カム３２を押し付け、摺動片３２ａが受台３１に案内されて連結ピン７ｄの軸方向（椅子に対して左右方向）に移動し、これに伴って、コイルバネ３５を圧縮させる。
これが、回動カム３３の回動の抵抗となり、後脚３Ｂの前傾移動のブレーキとして作用するので、脚３は減速しつつ格納位置へ傾動する。そして、前脚３Ａの上端の係止部３Ｄが座支持体４に当接すると停止する。
【００４１】
一方、例えば、遊技台の釘を順次調整する場合など、店側の作業において椅子が格納姿勢にあると困る場合があり、椅子を起こした状態でロックすることが必要となる。
この場合は、格納姿勢の椅子の前傾ロック装置４０の近傍に立ち、背もたれ２に手をかけて後ろに押し、座１が略水平になったら、フットレバー４１を踏み込んで、ロックピン４６を後脚３Ｂの下端に係止させて、前傾をロックする（図９参照）。別の椅子についても順次この作業を行えば、同様に椅子を起こした状態に保持することができる。
【００４２】
釘の調整が終わり、椅子を格納姿勢へ戻す場合は、背もたれ２に手をかけて、さらに、後傾させる。この操作により、ロックピン４６は、後脚３Ｂとの係止が解かれ、バネ４４により縮納される（同時にフットレバー４１も復帰する）ので、背もたれ２から手を離せば、引張りバネ６によって格納姿勢へ前傾する。
前傾ロック装置４０は、このように取り扱いが簡便であるので、多数の椅子について、起こした状態にすること、および、格納姿勢へ復帰させることが短時間および立ったままできるので、遊技台の調整や取り替えなどの作業を効率よく行える。
【００４３】
次に、上記の遊技場用の椅子を、保管や輸送、さらには、遊技場へ設置する場合について図１、図２および図１３に基づいて説明する。
遊技場用の椅子は、組立てたときには、図１の状態となるが、基台５を床などに固定しないと安定性が悪く、保管や輸送においても扱い難い。この発明では、背もたれ２と一体の座１と、脚ユニットに分割し、さらに、遊技場に設置するための取付台５０を別途設けている。なお、基台５には、取付台５０に正確な位置に確実に支持されるように、フランジ５ａを設けている。
【００４４】
脚ユニットは、脚３と座支持体４と基台５のほか、座１の裏面に取付けられるブラケット１１、および、捩りコイルバネ１５も含まれる。すなわち、上はブラケット１１から下は基台５までを組立てたもので、図２において、下端の取付台５０を除いた状態のものである。
このように、分割したので、安定した状態で保管や輸送ができる。しかも、スパナのみで簡単に組立を完成できる。また、遊技場へ搬入するときは、取付台５０のみを所定位置へアンカーボルトで順次予め取り付けておき、その後、脚ユニットを順次搬入して取付台５０へボルトで取付ければよいので、作業が簡便で、短時間にできる。
【符号の説明】
【００４５】
１  座
１ａ  座受
２  背もたれ
３  脚
３Ａ  前脚
３Ｂ  後脚
３Ｃ  係止部
３Ｄ  係止部
４  座支持体
５  基台
５ａ  フランジ
６  引張りバネ
７ａ  連結ピン
７ｂ  連結ピン
７ｃ  連結ピン
７ｄ  連結ピン
１１  ブラケット
１２  回動軸
１２ａ  回転カム
１３  縦筒軸受
１３ａ  案内溝
１４  ストロークカム
１４ａ  カム面
１４ｂ  奥部
１５  捩りコイルバネ
１６ａ  係止ピン
１６ｂ  係止ピン
１７  レバー
１７ａ  ピン
１８  係止材
１８ａ  案内溝
２０  外枠
２１  ガイド部材
２２  支持棒
２２ａ  ブラケット
２２ｂ  係止材
２２ｃ  係止材
２３  圧縮バネ
２４  係止材
３０  緩衝手段
３１  受台
３２  摺動カム
３２ａ  摺動片
３３  回動カム
３４  取付部材
３５  コイルバネ
４０  前傾ロック装置
４１  ロックレバー
４２  ピン
４３  ピン
４４  バネ
４５  ブラケット
４６  ロックピン
４６ａ  頭部
５０  取付台
【図１】
2011200475.tif 000003
【図２】
2011200475.tif 000004
【図３】
2011200475.tif 000005
【図４】
2011200475.tif 000006
【図５】
2011200475.tif 000007
【図６】
2011200475.tif 000008
【図７】
2011200475.tif 000009
【図８】
2011200475.tif 000010
【図９】
2011200475.tif 000011
【図１０】
2011200475.tif 000012
【図１１】
2011200475.tif 000013
【図１２】
2011200475.tif 000014
【図１３】
2011200475.tif 000015